(57)【要約】【課題】掛止バーに上下方向の強い力が加わっても、それが折れ曲がったり、破損したり、けがなどが起こりにくいようにしたタオル掛けを提供する。【解決手段】タオルを掛ける掛止バー２の基端部を、被取付体に取付可能な取付部材３に水平回動可能に枢着してなるタオル掛けにおいて、掛止バー２の基端部に、外力が加わった際に上下方向に弾性変形可能な可撓部６を設ける。【選択図】  図２
2009225960.tif 000002
【特許請求の範囲】
【請求項１】
タオルを掛ける掛止バーの基端部を、被取付体に取付可能な取付部材に水平回動可能に枢着してなるタオル掛けにおいて、
前記掛止バーの長手方向の少なくとも一部に、外力が加わった際に上下方向に弾性変形可能な可撓部を設けたことを特徴とするタオル掛け。
【請求項２】
前記可撓部を、前記掛止バーの基端部に設けたことを特徴とする請求項１記載のタオル掛け。
【請求項３】
前記掛止バーの基端部を中空状として前後に設け、該前後の２部材同士を、互いの中空孔内に弾性部材の両端部を嵌着して連結することにより、前記基端部を前記可撓部としたことを特徴とする請求項２に記載のタオル掛け。
【請求項４】
前記弾性部材を、ゴムまたはエラストマーとしたことを特徴とする請求項３に記載のいずれかに記載のタオル掛け。
【請求項５】
前記弾性部材を、引張コイルばねとしたことを特徴とする請求項３に記載のタオル掛け。
【請求項６】
前記引張コイルばねの両端部に、螺旋溝が外周面に形成された小径軸部と大径軸部とからなるばね支持部材を、前記小径軸部の螺旋溝を引張コイルばね内に螺合させて取り付け、かつ両ばね支持部材の前記大径軸部を、前後の２部材の中空孔内に嵌合して固定したことを特徴とする請求項５に記載のタオル掛け。
【請求項７】
前記引張コイルばねにおける前後の２部材よりの露出部の外周面を、可撓性を有する円筒状カバーにより覆ったことを特徴とする請求項５または６に記載のタオル掛け。
【請求項８】
前記取付部材を平板状とし、その下面に、前後方向を向く操作レバーの中間部を、後端部に設けた上向き鉤状の係止爪が取付部材より上方に露出するように、かつ前端部に形成した操作部を、下向き付勢手段に抗して上向きに回動操作しうるように、左右方向を向く枢軸により枢着したことを特徴とする請求項１ないし７のいずれかに記載のタオル掛け。
【発明の詳細な説明】
【技術分野】
【０００１】
本発明は、基端部が被取付体に取り付けられるバー状のタオル掛けに関する。
【背景技術】
【０００２】
この種のタオル掛けは、例えば特許文献１〜３に記載されているものがある。
【０００３】
【特許文献１】特開平８−３８３８７号公報（図２、図３）
【特許文献２】特開２０００−２８７８７１号公報（図２）
【特許文献３】特開２００６−２１２１９０号公報（図１、図３）
【発明の開示】
【発明が解決しようとする課題】
【０００４】
上記特許文献１〜３に記載されているタオル掛けは、いずれも、タオルを掛ける掛止バーの基端部を、被取付体ヘの取付部材に水平回動可能に枢着しているのみであり、掛止バー自体も、曲がりにくい単なるバー状のものとなっている。
【０００５】
このため、上記のようなタオル掛けを、キッチン台や洗面台等の比較的低い位置に取り付けた際に、掛止バーに物がぶつかったり、幼児のいたずら等により、掛止バーに上下方向の強い力が加わると、それが折れ曲がったり、基端部が破損したり、幼児等がけがをする恐れがある。
【０００６】
本発明は、上記問題点を解決するためになされたもので、掛止バーに上下方向の強い力が加わっても、それが折れ曲がったり、破損したり、けがなどが起こりにくいようにしたタオル掛けを提供することを目的としている。
【課題を解決するための手段】
【０００７】
上記課題を解決するために、本発明の請求項１に記載のタオル掛けは、
タオルを掛ける掛止バーの基端部を、被取付体に取付可能な取付部材に水平回動可能に枢着してなるタオル掛けにおいて、
前記掛止バーの長手方向の少なくとも一部に、外力が加わった際に上下方向に弾性変形可能な可撓部を設けたことを特徴としている。
この特徴によれば、掛止バーに上下方向の外力が加わると、可撓部が上下方向に弾性変形するので、係止バーが折れ曲がったり、基端部が破損したり、けがなどが起こりにくくなる。
【０００８】
本発明の請求項２に記載のタオル掛けは、請求項１に記載のタオル掛けであって、
前記可撓部を、前記掛止バーの基端部に設けたことを特徴としている。
この特徴によれば、掛止バーは基端部を中心として弾性変形するので、取付部材への枢着部に大きな曲げモーメントが加わることがなく、従って、その部分が破損する恐れが小さくなる。
【０００９】
本発明の請求項３に記載のタオル掛けは、請求項２に記載のタオル掛けであって、
前記掛止バーの基端部を中空状として前後に設け、該前後の２部材同士を、互いの中空孔内に弾性部材の両端部を嵌着して連結することにより、前記基端部を前記可撓部としたことを特徴としている。
この特徴によれば、掛止バーの基端部を、簡単に可撓部としうるだけでなく、掛止バーの基端部は、弾性部材が弾性変形することにより容易に撓むことができる。
【００１０】
本発明の請求項４に記載のタオル掛けは、請求項３に記載のタオル掛けであって、
前記弾性部材を、ゴムまたはエラストマーとしたことを特徴としている。
この特徴によれば、弾性部材に安価なものを使用しうるとともに、ゴムまたはエラストマーの硬度を選択することにより、掛止バーの可撓部の上下方向の弾性変形量を、タオル掛けの用途に応じて容易に変更することができる。
【００１１】
本発明の請求項５に記載のタオル掛けは、請求項３に記載のタオル掛けであって、
前記弾性部材を、引張コイルばねとしたことを特徴としている。
この特徴によれば、上記と同様、弾性部材に安価のものを使用しうるとともに、引張コイルばねは大きく弾性変形しうるので、掛止バーの基端部の上下方向の弾性変形量を大とすることができる。
また、引張コイルばねの線径を選択することにより、可撓部の上下方向の弾性変形量を変更することができる。
【００１２】
本発明の請求項６に記載のタオル掛けは、請求項５に記載のタオル掛けであって、
前記引張コイルばねの両端部に、螺旋溝が外周面に形成された小径軸部と大径軸部とからなるばね支持部材を、前記小径軸部の螺旋溝を引張コイルばね内に螺合させて取り付け、かつ両ばね支持部材の前記大径軸部を、前後の２部材の中空孔内に嵌合して固定したことを特徴としている。
この特徴によれば、引張コイルばねの両端部内には、ばね支持部材の小径軸部が螺合され、かつ両ばね支持部材の大径軸部は、掛止バーの基端部の２部材の中空孔内に固定されているので、引張コイルばねが上下方向に大きく撓んでも、これが中空孔より脱落する恐れがない。
【００１３】
本発明の請求項７に記載のタオル掛けは、請求項５または６に記載のタオル掛けであって、
前記引張コイルばねにおける前後の２部材よりの露出部の外周面を、可撓性を有する円筒状カバーにより覆ったことを特徴としている。
この特徴によれば、引張コイルばねが上下方向に撓み、コイル間に隙間が形成されても、その隙間に物が挟まったりすることがない。
また、引張コイルばねが外部に露出しないので、見栄えがよくなる。
【００１４】
本発明の請求項８に記載のタオル掛けは、請求項１ないし７のいずれかに記載のタオル掛けであって、
前記取付部材を平板状とし、その下面に、前後方向を向く操作レバーの中間部を、後端部に設けた上向き鉤状の係止爪が取付部材より上方に露出するように、かつ前端部に形成した操作部を、下向き付勢手段に抗して上向きに回動操作しうるように、左右方向を向く枢軸により枢着したことを特徴としている。
この特徴によれば、例えばキッチン等の被取付体における天板と、その下方のキャビネットとの間に、操作レバーの係止爪が係合可能な下向きの係合凸部を有する前方に開口する隙間を設けておけば、この隙間に取付部材を前方より嵌合するだけで、ねじ等の固定手段を使用することなく、タオル掛けを着脱可能に容易に取り付けることができる。
【発明を実施するための最良の形態】
【００１５】
以下、本発明の実施形態を、図面に基づいて説明する。図１は、本発明のタオル掛けの第１の実施形態と、それを取り付けた被取付体であるキッチン台の斜視図、図２はタオル掛けの側面図、図３は同じく平面図、図４は、図３のIV-IV線の拡大縦断側面図である。
【００１６】
タオル掛け１は、前後方向（以下、図２の左方を前として説明する）を向く掛止バー２と、その基端（後端）の左右方向に長い平板状の取付部材３とを備え、掛止バー２は、中空かつ上半部の上面が平坦面をなすアルミニウム等よりなるタオル掛け部４と、このタオル掛け部４の後端に連結された、それよりも大径をなすアルミニウム等よりなるジョイント部５と、このジョイント部５の中間部に設けられた可撓部６と、タオル掛け部４の前端に取り付けられた、タオル掛け部４の上面よりも上向きに突出するエラストマーよりなるキャップ部材７とからなっている。
【００１７】
ジョイント部５は、その前端に前向き突設された小径軸部８を、タオル掛け部４の後端部の中空孔内に、その下面と摺接するように嵌合したのち、タオル掛け部４の後端部下面に螺挿した止めねじ９により止着されることで、タオル掛け部４の後端に連結されている。ジョイント部５の前端上部には、図２及び図５にも示すように、タオルＴを挟み込む挟持片１０が、タオル掛け部４の上面との間に隙間Ｓが形成されるようにして、前向きに突設されている。
【００１８】
キャップ部材７は、その後端に後向き突設された差込片１１を、タオル掛け部４の前端部の中空孔内に嵌合したのち、この差込片１１に、タオル掛け部４の前端部の下面に螺挿した止めねじ１２を、その上端が中空孔の下面に当接するまで挿通させることにより、前方に抜止めされて取り付けられている。
【００１９】
上記可撓部６は、以下のように形成されている。図４に示すように、ジョイント部５を前後方向の中央部において分割し、分割した前部ジョイント部５ａと後部ジョイント部５ｂとの対向面に、前後方向を向く有底の中空孔１３、１３を形成したのち、前部ジョイント部５ａと後部ジョイント部５ｂの中空孔１３内に、弾性変形可能なゴムまたはエラストマーよりなる前後方向に長い軸状の弾性部材１４における両端部の小径部１４ａ、１４ａを嵌合する。
【００２０】
次いで、前部ジョイント部５ａの下面と、後部ジョイント部５ｂの下端に連設された下向きの支持軸１５とに、下方より螺挿した固定ねじ１６、１６を、それらの上端が中空孔１３の上部下面と当接するまで両小径部１４ａ、１４ａに挿通する。これにより、両小径部１４ａが中空孔１３内に固定された状態で、前部ジョイント部５ａと後部ジョイント部５ｂとが、弾性部材１４により連結され、ジョイント部５の前後方向の中間部に、弾性部材１４による可撓部６が形成される。なお、固定ねじ１６を用いないで、小径部１４ａを中空孔１３に圧嵌するか、または接着剤等により固定してもよい。
【００２１】
上記後部ジョイント部５ｂの支持軸１５に形成された小径軸部１５ａには、取付部材３の前端に連設された上下方向を向く筒部１７が、所定の回動角度において回動に僅かな抵抗を付与するためのクリック部材１８と、上下１対のＬ字状断面のスペーサ１９、１９とを介して、相対回転自在に嵌合され、下部のスペーサ１９を、平ワッシャ２０を介して上述した固定ねじ１６により押さえることにより、取付部材３が小径軸部１５ａより脱落するのが防止されている。これにより、掛止バー２全体は、取付部材３に対し水平回動することができる。
【００２２】
取付部材３の下面には、前後方向を向く操作レバー２１の中間部が、左右方向を向く枢軸２２により上下に回動可能に枢着されている。操作レバー２１の前端部には、側面視Ｕ字状断面の操作部２３が、また後端部には、上向鉤状の係止爪２４が、それぞれ形成されている。操作レバー２１は、捩りばね２５により、操作部２３側を上向きに回動操作しうるように反時計方向に常時付勢され、また係止爪２４は、取付部材３の後端部中央に形成された開口２６より上方に露出している。
【００２３】
取付部材３をこのような構造とすると、図４に示すように、図１に示すようなキッチン台の天板２７と、その下方のキャビネット２８との間に、取付部材３が挿入可能な前方に開口する隙間２９を、左右方向に連続させて形成するとともに、天板２７の下面に、係止爪２４が係合可能な下向きの係合凸部３０を、左右方向に連続させて設けておけば、取付部材３を隙間２９内に前方より嵌合するだけで、タオル掛け１を、左右方向の任意の位置に簡単に取り付けることができる。また、操作レバー２１の操作部２３を上向きに回動操作させて、係止爪２４を係合凸部３０より離脱することにより、容易に取り外すことができる。
【００２４】
以上説明したように、上記第１の実施形態のタオル掛け１においては、掛止バー２の基端部、すなわち、ジョイント部５の中間部に、ゴムまたはエラストマーよりなる弾性部材１４を設けて、可撓部６を形成してあるため、掛止バー２に、物がぶつかったり、幼児のいたずら等により、上下方向の外力が加わったとしても、図２の２点鎖線のように、掛止バー２は、可撓部６を中心として上下方向に撓むことができるので、掛止バー２が折れ曲がったり、取付部材３への取付基部が破損したり、幼児等がけがをする恐れがなくなる。
【００２５】
図６は、本発明のタオル掛けの第２の実施形態の要部の断面図を示す。なお、上記と同様の部材には、同じ符号を付して、その詳細な説明は省略する。
【００２６】
この第２の実施形態のタオル掛け１は、上記と同様のジョイント部５の中間部に、引張コイルばね３１よりなる可撓部３２を設けたものである。すなわち、まず引張コイルばね３１の前後の端部内に、前後のばね支持部材３３、３３における小径軸部３３ａを、その外周面に形成した引張コイルばね３１と等ピッチの螺旋溝３４を螺合させることにより、抜止めして嵌合する。
【００２７】
次いで、両ばね支持部材３３、３３の大径軸部３３ａと、小径軸部３３ｂと反対方向に突出する小径軸部３３ｃとを、それぞれ、前部ジョイント部５ａと後部ジョイント部５ｂに形成された大径孔３５と、それに連続する小径孔３６とに嵌合する。
【００２８】
前部側のばね支持部材３３は、小径軸部３３ｃに向かって、前部ジョイント部５ａの下面より止めねじ３８を螺挿することにより、抜止めされている。後部側のばね支持部材３３は、大径軸部３３ｂに穿設された上下方向を向く貫通孔３９に、上記と同様の固定ねじ１６を挿通させることにより、抜け止めされている。なお、前部側のばね支持部材３３も、後部側のそれと同様に、大径軸部３３ｂに止めねじを挿通させて抜け止めしてもよい。
【００２９】
これにより、前部ジョイント部５ａと後部ジョイント部５ｂとが、弾性部材である引張コイルばね３１により連結され、ジョイント部５の前後方向の中間部に、引張コイルばね３１による可撓部３２が形成される。
【００３０】
引張コイルばね３１におけるジョイント部５よりの露出部は、前部ジョイント部５ａにおける大径孔３５の開口部に形成された拡径孔４０に前端部が嵌合された、ゴムまたはエラストマーよりなる弾性変形可能な円筒状カバー４１により覆われている。
【００３１】
この第２の実施形態のタオル掛け１においても、掛止バー２は、可撓部３２を中心として上下方向に撓むことができるので、掛止バー２が折れ曲がったり、取付部材３への取付基部が破損したり、幼児等がけがをする恐れがなくなる。
【００３２】
しかも、第２の実施形態では、可撓部３２を、大きく弾性変形可能な引張コイルばね３１により形成しているので、掛止バー２の基端部の上下方向の弾性変形量を大とすることができるとともに、引張コイルばね３１の線径を選択することにより、可撓部３２の上下方向の弾性変形量を、用途に応じて容易に変更することができる。
【００３３】
本発明は、上記実施形態に限定されるものではない。
【００３４】
上記実施形態では、掛止バー２を、タオル掛け部４とジョイント部５とキャップ部材７との、３部材により形成しているが、一体的に形成してもよい。この際には、基端部を分割して、その部分に可撓部６、３２を設ければよい。
【００３５】
可撓部６、３２の位置は、基端部以外でもよく、また掛止バー２全体を可撓性を有するようにすることもある。
【００３６】
取付部材３の形状は、実施形態のものに限定されるものではなく、例えば壁面等にねじ等により取り付け可能な形状としてもよい。
【図面の簡単な説明】
【００３７】
【図１】本発明の第１の実施形態のタオル掛けを取り付けたキッチン台の斜視図である。
【図２】同じく、タオル掛けの側面図である。
【図３】同じく、平面図である。
【図４】図３のIV-IV線の拡大縦断側面図である。
【図５】図４のV-V線の拡大縦断面図である。
【図６】本発明の第２の実施形態のタオル掛けの要部の縦断側面図である。
【符号の説明】
【００３８】
１    タオル掛け
２    掛止バー
３    取付部材
４    タオル掛け部
５    ジョイント部
５ａ   前部ジョイント部
５ｂ   後部ジョイント部
６    可撓部
７    キャップ部材
８    小径軸部
９    止めねじ
１０  挟持片
１１  差込片
１２  止めねじ
１３  中空孔
１４  弾性部材
１４ａ 小径部
１５  支持軸
１５ａ 小径軸部
１６  固定ねじ
１７  筒部
１８  クリック部材
１９  スペーサ
２０  平ワッシャ
２１  操作レバー
２２  枢軸
２３  操作部
２４  係止爪
２５  捩りばね
２６  開口
２７  天板
２８  キャビネット
２９  隙間
３０  係合凸部
３１  引張コイルばね
３２  可撓部
３３  ばね支持部材
３３ａ 小径軸部
３３ｂ 大径軸部
３３ｃ 小径軸部
３４  螺旋溝
３５  大径孔
３６  小径孔
３８  止めねじ
３９  貫通孔
４０  拡径孔
４１  円筒状カバー
Ｓ    隙間
Ｔ    タオル
【図１】
2009225960.tif 000003
【図２】
2009225960.tif 000004
【図３】
2009225960.tif 000005
【図４】
2009225960.tif 000006
【図５】
2009225960.tif 000007
【図６】
2009225960.tif 000008